(57)【特許請求の範囲】
【請求項１】
複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定でバックライトを発光させる画像表示装置であって、
ユーザが操作している画像信号出力装置を検出する検出手段と、
前記検出手段で前記ユーザが操作している画像信号出力装置が検出された場合に、前記検出された画像信号出力装置から出力された画像信号に基づく画像である検出画像の表示領域のバックライト、および、前記複数の画像のうち前記検出画像に隣接して表示される画像である隣接画像の表示領域と前記検出画像の表示領域との境界部のバックライトを、前記検出された画像信号出力装置に対して設定された発光設定で発光させる制御手段と、を有し、
前記制御手段は、前記検出された画像信号出力装置に対して設定された発光設定と、前記隣接画像を出力する画像信号出力装置に対して設定された発光設定とに応じて、前記境界部の大きさを決定する
ことを特徴とする画像表示装置。
【請求項２】
前記発光設定は、輝度または色温度を含む
ことを特徴とする請求項１に記載の画像表示装置。
【請求項３】
前記発光設定は輝度と色温度を含み、
前記検出された画像信号出力装置と前記隣接画像を出力する画像信号出力装置とに対して同じ色温度が設定されている場合において、前記制御手段は、前記検出された画像信号出力装置に対して設定された輝度が前記隣接画像を出力する画像信号出力装置に対して設定された輝度よりも高いときに、前記検出された画像信号出力装置に対して設定された輝度が前記隣接画像を出力する画像信号出力装置に対して設定された輝度よりも低いときに比べて大きい領域を前記境界部として設定する
ことを特徴とする請求項１または２に記載の画像表示装置。
【請求項４】
前記発光設定は輝度と色温度を含み、
前記検出された画像信号出力装置と前記隣接画像を出力する画像信号出力装置とに対して同じ輝度が設定されている場合において、前記制御手段は、前記検出された画像信号出力装置に対して設定された色温度と前記隣接画像を出力する画像信号出力装置に対して設定された色温度との差の絶対値が大きいときに、前記差の絶対値が小さいときに比べて大きい領域を前記境界部として設定する
ことを特徴とする請求項１〜３のいずれか１項に記載の画像表示装置。
【請求項５】
複数のアプリケーションによって生成された複数の画像を１つの画面上に並べて表示する際に、画像毎に、その画像を生成するアプリケーションに対して設定された発光設定でバックライトを発光させる画像表示装置であって、
ユーザが操作しているアプリケーションを検出する検出手段と、
前記検出手段で前記ユーザが操作しているアプリケーションが検出された場合に、前記検出されたアプリケーションによって生成された画像である検出画像の表示領域のバックライト、および、前記複数の画像のうち前記検出画像に隣接して表示される画像である隣接画像の表示領域と前記検出画像の表示領域との境界部のバックライトを、前記検出されたアプリケーションに対して設定された発光設定で発光させる制御手段と、
を有し、
前記制御手段は、前記検出されたアプリケーションに対して設定された発光設定と、前記隣接画像を生成するアプリケーションに対して設定された発光設定とに応じて、前記境界部の大きさを決定する
ことを特徴とする画像表示装置。
【請求項６】
複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定でバックライトを発光させる画像表示装置の制御方法であって、
ユーザが操作している画像信号出力装置を検出する検出ステップと、
前記ユーザが操作している画像信号出力装置が検出された場合に、前記検出された画像信号出力装置から出力された画像信号に基づく画像である検出画像の表示領域のバックライト、および、前記複数の画像のうち前記検出画像に隣接して表示される画像である隣接画像の表示領域と前記検出画像の表示領域との境界部のバックライトを、前記検出された画像信号出力装置に対して設定された発光設定で発光させる制御ステップと、
を有し、
前記制御ステップでは、前記検出された画像信号出力装置に対して設定された発光設定と、前記隣接画像を出力する画像信号出力装置に対して設定された発光設定とに応じて、前記境界部の大きさを決定する
ことを特徴とする画像表示装置の制御方法。
【請求項７】
前記発光設定は、輝度または色温度を含む
ことを特徴とする請求項６に記載の画像表示装置の制御方法。
【請求項８】
前記発光設定は輝度と色温度を含み、
前記検出された画像信号出力装置と前記隣接画像を出力する画像信号出力装置とに対して同じ色温度が設定されている場合において、前記制御ステップでは、前記検出された画像信号出力装置に対して設定された輝度が前記隣接画像を出力する画像信号出力装置に対して設定された輝度よりも高いときに、前記検出された画像信号出力装置に対して設定された輝度が前記隣接画像を出力する画像信号出力装置に対して設定された輝度よりも低いときに比べて大きい領域を前記境界部として設定する
ことを特徴とする請求項６または７に記載の画像表示装置の制御方法。
【請求項９】
前記発光設定は輝度と色温度を含み、
前記検出された画像信号出力装置と前記隣接画像を出力する画像信号出力装置とに対して同じ輝度が設定されている場合において、前記制御ステップでは、前記検出された画像信号出力装置に対して設定された色温度と前記隣接画像を出力する画像信号出力装置に対して設定された色温度との差の絶対値が大きいときに、前記差の絶対値が小さいときに比べて大きい領域を前記境界部として設定する
ことを特徴とする請求項６〜８のいずれか１項に記載の画像表示装置の制御方法。
【請求項１０】
複数のアプリケーションによって生成された複数の画像を１つの画面上に並べて表示する際に、画像毎に、その画像を生成するアプリケーションに対して設定された発光設定でバックライトを発光させる画像表示装置の制御方法であって、
ユーザが操作しているアプリケーションを検出する検出ステップと、
前記ユーザが操作しているアプリケーションが検出された場合に、前記検出されたアプリケーションによって生成された画像である検出画像の表示領域のバックライト、および、前記複数の画像のうち前記検出画像に隣接して表示される画像である隣接画像の表示領域と前記検出画像の表示領域との境界部のバックライトを、前記検出されたアプリケーションに対して設定された発光設定で発光させる制御ステップと、
を有し、
前記制御ステップでは、前記検出されたアプリケーションに対して設定された発光設定と、前記隣接画像を生成するアプリケーションに対して設定された発光設定とに応じて、前記境界部の大きさを決定する
ことを特徴とする画像表示装置の制御方法。
【発明の詳細な説明】
【技術分野】
【０００１】
本発明は、液晶表示装置及びその制御方法に関する。
【背景技術】
【０００２】
近年、印刷やデザイン業務で使用されるカラーマネジメントに対応した液晶表示装置は大画面化してきている。これらの大画面の液晶表示装置は、２台のパーソナルコンピュータ（ＰＣ）を接続し、画面を２分割して両方のＰＣから送られる２つの画像を表示するか、いずれか一方のＰＣから送られる画像を画面全体に表示するかを切り替えることができる。また、液晶表示装置には、バックライトの光源として、従来の冷陰極線管（Cold Cathode Fluorescent Lamp：CCFL）の代わりに、赤、緑、青の３色の発光ダイオード（RGB Light Emitting Diode：RGB LED）を有するものが存在する。バックライトとしてRGB LED
を用いることで、従来のCCFLに比べて色再現性を向上させることができる。
【０００３】
RGB LEDをバックライトに採用した液晶表示装置の場合、ユーザが目標輝度や色温度等
を指定してキャリブレーションを行うと、指定した目標値に基づいてバックライトのRGB LED（RGB LEDバックライト）の発光設定が変更される。液晶表示装置に２台のＰＣを接続する場合は、各々のＰＣを用いてキャリブレーションを行うことで、各々のＰＣが出力する画像に対して、所望の色再現性を得ることができる。
【０００４】
従来、画面を複数の光源ブロックに分割し、入力される画像信号に応じて、光源ブロックごとにRGB LEDバックライトの発光設定を制御し、色再現性を高める技術がある（例え
ば、特許文献１参照）。
また、画質情報や画像表示部の入出力特性に基づいて、画質を優先する画像信号出力装置を決定して画質調整を行い、他方の画像信号出力装置が出力する画像を、画質を優先した方と同質の画質になるよう調整する技術がある（例えば、特許文献２参照）。
【先行技術文献】
【特許文献】
【０００５】
【特許文献１】特開２００７−３２２９４４号公報
【特許文献２】特開２００４−２９５１３３号公報
【発明の概要】
【発明が解決しようとする課題】
【０００６】
しかしながら、従来の技術では、各ＰＣ（画像信号出力装置）に対して異なるバックライトの発光設定が設定されていた場合に、各ＰＣからの画像を画面水平方向に並べて表示（２画面表示）すると、画像の境界付近で色再現性が低下してしまう。
そのため、ユーザが、色再現性が低下していることに気づかずに画像編集を行い、間違った色の調整を行ってしまう可能性があった。
【０００７】
そこで、本発明は、複数の画像信号出力装置からの画像を１つの画面上に並べて表示している場合に、ユーザが間違った色調整を行うことを抑制できる技術を提供することを目的とする。
【課題を解決するための手段】
【０００８】
本発明の第１の態様は、複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定でバックライトを発光させる画像表示装置であって、ユーザが操作している画像信号出力装置を検出する検出手段と、前記検出手段で前記ユーザが操作している画像信号出力装置が検出された場合に、前記検出された画像信号出力装置から出力された画像信号に基づく画像である検出画像の表示領域のバックライト、および、前記複数の画像のうち前記検出画像に隣接して表示される画像である隣接画像の表示領域と前記検出画像の表示領域との境界部のバックライトを、前記検出された画像信号出力装置に対して設定された発光設定で発光させる制御手段と、を有し、前記制御手段は、前記検出された画像信号出力装置に対して設定された発光設定と、前記隣接画像を出力する画像信号出力装置に対して設定された発光設定とに応じて、前記境界部の大きさを決定することを特徴とする画像表示装置である。
本発明の第２の態様は、複数のアプリケーションによって生成された複数の画像を１つの画面上に並べて表示する際に、画像毎に、その画像を生成するアプリケーションに対して設定された発光設定でバックライトを発光させる画像表示装置であって、ユーザが操作しているアプリケーションを検出する検出手段と、前記検出手段で前記ユーザが操作しているアプリケーションが検出された場合に、前記検出されたアプリケーションによって生成された画像である検出画像の表示領域のバックライト、および、前記複数の画像のうち前記検出画像に隣接して表示される画像である隣接画像の表示領域と前記検出画像の表示領域との境界部のバックライトを、前記検出されたアプリケーションに対して設定された発光設定で発光させる制御手段と、を有し、前記制御手段は、前記検出されたアプリケー
ションに対して設定された発光設定と、前記隣接画像を生成するアプリケーションに対して設定された発光設定とに応じて、前記境界部の大きさを決定することを特徴とする画像表示装置である。
【０００９】
本発明の第３の態様は、複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定でバックライトを発光させる画像表示装置の制御方法であって、ユーザが操作している画像信号出力装置を検出する検出ステップと、前記ユーザが操作している画像信号出力装置が検出された場合に、前記検出された画像信号出力装置から出力された画像信号に基づく画像である検出画像の表示領域のバックライト、および、前記複数の画像のうち前記検出画像に隣接して表示される画像である隣接画像の表示領域と前記検出画像の表示領域との境界部のバックライトを、前記検出された画像信号出力装置に対して設定された発光設定で発光させる制御ステップと、を有し、前記制御ステップでは、前記検出された画像信号出力装置に対して設定された発光設定と、前記隣接画像を出力する画像信号出力装置に対して設定された発光設定とに応じて、前記境界部の大きさを決定することを特徴とする画像表示装置の制御方法である。
本発明の第４の態様は、複数のアプリケーションによって生成された複数の画像を１つの画面上に並べて表示する際に、画像毎に、その画像を生成するアプリケーションに対して設定された発光設定でバックライトを発光させる画像表示装置の制御方法であって、ユーザが操作しているアプリケーションを検出する検出ステップと、前記ユーザが操作しているアプリケーションが検出された場合に、前記検出されたアプリケーションによって生成された画像である検出画像の表示領域のバックライト、および、前記複数の画像のうち前記検出画像に隣接して表示される画像である隣接画像の表示領域と前記検出画像の表示領域との境界部のバックライトを、前記検出されたアプリケーションに対して設定された発光設定で発光させる制御ステップと、を有し、前記制御ステップでは、前記検出されたアプリケーションに対して設定された発光設定と、前記隣接画像を生成するアプリケーションに対して設定された発光設定とに応じて、前記境界部の大きさを決定することを特徴とする画像表示装置の制御方法である。
【発明の効果】
【００１０】
本発明によれば、複数の画像信号出力装置からの画像を１つの画面上に並べて表示している場合に、ユーザが間違った色調整を行うことを抑制できる。
【図面の簡単な説明】
【００１１】
【図１】実施例１に係る画像表示システムの接続態様の一例。
【図２】実施例１に係る液晶表示装置とＰＣのハードウェアブロック図の一例。
【図３】バックライトにおけるＬＥＤの配置の一例。
【図４】実施例１に係る液晶表示装置とＰＣの機能ブロック図の一例。
【図５】操作先判定部の判定処理の一例。
【図６】実施例１に係る表示制御部の処理の一例。
【図７】バックライトの発光設定の一例。
【図８】実施例２に係る画像表示システムの接続態様の一例。
【図９】実施例２に係る液晶表示装置とＰＣのハードウェアブロック図の一例。
【図１０】実施例２に係る液晶表示装置の機能ブロック図の一例。
【図１１】実施例２に係る表示制御部の処理の一例。
【図１２】実施例３に係る画像表示システムの接続態様の一例。
【図１３】実施例３に係る液晶表示装置とＰＣのハードウェアブロック図の一例。
【図１４】実施例３に係る液晶表示装置とＰＣの機能ブロック図の一例。
【図１５】実施例３に係る表示制御部の処理の一例。
【図１６】実施例３に係る液晶表示装置に表示される画像の一例。
【図１７】バックライトの発光設定の一例。
【発明を実施するための形態】
【００１２】
＜実施例１＞
図１は、本発明の実施例１に係る画像表示システムの接続態様の一例を表す図である。
液晶表示装置１００には、ＰＣ１０１，１０２（画像信号出力装置）が、それぞれ、ケーブル１０７，１０８を介して接続されている。液晶表示装置１００は、複数の画像信号出力装置から出力された複数の画像信号を入力する。そして、複数の画像信号に基づく複数の画像を１つの画面上に並べて表示する際に、画像毎に、その画像の画像信号を出力する画像信号出力装置に対して設定された発光設定でバックライトを発光させる。
【００１３】
ＰＣ１０１にはキーボード１０３とマウス１０４が接続されている。ユーザは、キーボ
ード１０３とマウス１０４を用いてＰＣ１０１を操作することができる。同様にＰＣ１０２にはキーボード１０５とマウス１０６が接続されている。ケーブル１０７，１０８は、ＤＶＩ（商標）またはＤｉｓｐｌａｙＰｏｒｔ（商標）規格に準拠したケーブルであり、画像信号、ＤＤＣ／ＣＩ（Display Data Channel Command Interface）に基づいたデータなどを通信可能なケーブルである。ＰＣ１０１，１０２は、それぞれ、ケーブル１０７，１０８を介して、液晶表示装置１００に、画像信号とユーザ操作情報を送信する。ユーザ操作情報は、自身（ＰＣ）がユーザによって操作されていることを示す情報である。
【００１４】
図２（Ａ）は、液晶表示装置１００のハードウェアブロック図である。
ＣＰＵ２０１は、不揮発性メモリ２０３から各種制御を行うためのプログラムを読み込み、内部バス２１１に接続された各構成ブロックの制御を行う。
例えば、ＣＰＵ２０１は、ユーザが操作ボタン２１０を用いて２画面表示操作を行うと、画像処理回路２０６に対して２画面表示を行うように指示する。具体的には、ＣＰＵ２０１は、画像入力回路２０４，２０５が受信した２つの画像信号に基づく２つの画像を、液晶表示装置１００の画面を２分割して表示するように画像処理回路２０６に指示する。
また、ＣＰＵ２０１は、画像入力回路２０４，２０５が受信したユーザ操作情報と、画像入力回路毎（接続されたＰＣ毎）の画質調整パラメータとに基づいて、画像入力回路毎に、その回路の発光設定を適用する画面の領域（発光領域）を決定する。そして、決定した発光領域の情報を、その領域の発光設定（画質調整パラメータに含まれる輝度や色温度など）の情報とともにバックライト制御回路２０８に出力する。
また、ＣＰＵ２０１は、ユーザが操作ボタン２１０を用いて画質調整操作を行うと、該操作に応じて画像入力回路毎の画質調整パラメータ（発光設定）を設定し、不揮発性メモリ２０３に記録する。
【００１５】
メモリ２０２は、ＣＰＵ２０１の処理に用いるデータを一時的に記憶する。
不揮発性メモリ２０３は、ＣＰＵ２０１が実行するプログラムや、画像入力回路毎の画質調整パラメータを記憶する。また、製造時に予め設定した画像入力回路２０４，２０５の発光設定の組み合わせ毎に、画像入力回路２０４と２０５のそれぞれに対する補正値データを記憶する。補正値データは、各発光領域を決定する処理に用いるデータである。
画像入力回路２０４は、ケーブル１０７を介して入力された画像信号（本実施例ではＰＣ１０１から出力された画像信号）を画像処理回路２０６に出力する。また、ケーブル１０７を介して入力されたユーザ操作情報（ＰＣ１０１から出力されたユーザ操作情報）をＣＰＵ２０１に出力する。
画像入力回路２０５は、ケーブル１０８を介して入力された画像信号（本実施例ではＰＣ１０２から出力された画像信号）を画像処理回路２０６に出力する。また、ケーブル１０８を介して入力されたユーザ操作情報（ＰＣ１０２から出力されたユーザ操作情報）をＣＰＵ２０１に出力する。
画像処理回路２０６は、画像入力回路２０４，２０５から受信した画像信号を不揮発性メモリ２０３に記録された画質調整パラメータに基づいて処理し、液晶表示デバイス２０７に出力する。
【００１６】
液晶表示デバイス２０７は、画像処理回路２０６から受信した画像信号に基づく画像を表示する。
バックライト制御回路２０８は、ＣＰＵ２０１から送られる発光設定及び発光領域の情報に基づいて、バックライト２０９の発光を制御する。具体的には、バックライト２０９には複数のＬＥＤが設置されており、バックライト制御回路２０８は、個々のＬＥＤの発光を制御する。
【００１７】
操作ボタン２１０は、ユーザからの画質調整操作を受け付け、操作内容をＣＰＵ２０１に通知する。画質調整操作は、画像入力回路２０４，２０５に入力された画像信号のそれ
ぞれに対して、輝度や色温度の調整といった画質調整を行うための操作である。
また、操作ボタン２１０は、ユーザからの２画面表示操作を受け付け、該操作が行われたことをＣＰＵ２０１に通知する。
内部バス２１１は、液晶表示装置１００の各構成ブロックを接続し、構成ブロック間のデータ通信を可能にするバスである。
【００１８】
図３は、液晶表示装置１００のバックライト２０９におけるＬＥＤの配置を表す図である。
本実施例では、赤色（Ｒ）、緑色（Ｇ）、青色（Ｂ）の色毎に独立した３つ（３原色）のＬＥＤを１セット（ＬＥＤ３０１）として、１６行２４列の合計３８４セットのＬＥＤ３０１が配置されている。
【００１９】
図２（Ｂ）は、ＰＣ１０１のハードウェアブロック図である。なお、ＰＣ１０２のハードウェアブロック図はＰＣ１０１と同様であるため、記述を省略する。
ＣＰＵ４０１は、内部バス４０７に接続された各構成ブロックの制御や、蓄積装置４０３に記録されたＯＳやアプリケーションを実行し、画像信号を画像出力回路４０６に出力する。
また、ＣＰＵ４０１は、キーボードＩ／Ｆ回路４０４やマウスＩ／Ｆ回路４０５からユーザ操作を表す信号を受信し、ユーザ操作に応じて、動作中のアプリケーションを制御する。それとともに、ユーザ操作が行われたことをユーザ操作情報として画像出力回路４０６に出力する。
【００２０】
メモリ４０２は、ＣＰＵ４０１の処理に用いるデータを一時的に記憶する。
蓄積装置４０３は、ＣＰＵ４０１が実行するＯＳやアプリケーションを記憶する。
キーボードＩ／Ｆ回路４０４は、キーボード１０３を介してユーザ操作を受け付け、該ユーザ操作を表す信号をＣＰＵ４０１に出力する。
マウスＩ／Ｆ回路４０５は、マウス１０４を介してユーザ操作を受け付け、該ユーザ操作を表す信号をＣＰＵ４０１に出力する。
画像出力回路４０６は、ＣＰＵ４０１から出力される画像信号とユーザ操作情報を液晶表示装置１００に出力する。
内部バス４０７は、ＰＣ１０１の各構成ブロックを接続し、構成ブロック間のデータ通信を可能にするバスである。
【００２１】
図４（Ａ）は、液晶表示装置１００の機能ブロック図である。
ＵＩ部５０１は、ユーザが操作ボタン２１０を用いて２画面表示操作を行うと、表示制御部５０４に対して２画面表示要求を出力する。
また、ＵＩ部５０１は、ユーザが操作ボタン２１０を用いて画質調整操作を行うと、画質調整パラメータを調整するための画質調整パラメータ設定画面を生成し、表示制御部５０４に出力する。そして、ＵＩ部５０１は、操作ボタン２１０を用いて入力（調整）された画質調整パラメータを、表示設定管理部５０２に出力する。
【００２２】
表示設定管理部５０２は、ＵＩ部５０１から受信した画像入力回路毎の画質調整パラメータを、それぞれ、画像入力回路と対応付けて不揮発性メモリ２０３に記録する。また、不揮発性メモリ２０３が記憶する画像入力回路毎の画質調整パラメータを読み出し、表示制御部５０４に出力する。
表１は、不揮発性メモリ２０３が記憶する画像入力回路２０４，２０５（ＰＣ１０１，１０２）の画質調整パラメータの例（輝度と色温度；発光設定）を表したものである。本実施例では、表１の通り、画像入力回路２０４に対して輝度が１５０ｃｄ／ｍ２、色温度が７２００Ｋ、画像入力回路２０５に対して輝度が２５０ｃｄ／ｍ２、色温度が９４００Ｋと設定されている。
【表１】
0005814534.tif 000002
加えて、表示設定管理部５０２は、不揮発性メモリ２０３から補正値データを読み出し、表示制御部５０４に出力する。
【００２３】
操作先判定部５０３は、ユーザが操作している画像信号出力装置（ＰＣ）を検出する（検出手段）。具体的には、画像入力回路２０４，２０５から受信したユーザ操作情報に基づいて、ユーザがＰＣ１０１，１０２のいずれを操作しているかを判定し、判定結果（操作先情報）を表示制御部５０４に出力する。操作先判定部５０３の判定処理については後で詳しく説明する。
【００２４】
表示制御部５０４は、表示設定管理部５０２から画像入力回路２０４，２０５（ＰＣ１０１，１０２）に対して設定された画質調整パラメータを読み出し、それに基づいて画像処理を行うよう画像処理回路２０６に要求する。その際、表示制御部５０４は、表示する画像毎に、その画像の画像信号を出力するＰＣに対して設定された発光設定でバックライトを発光させるようバックライト制御部５０５に要求する（発光設定要求）。
また、表示制御部５０４は、ＵＩ部５０１から２画面表示要求を受信すると、画像処理回路２０６に対して画像入力回路２０４，２０５からの画像信号を２画面表示するように要求する。２画面表示中、表示制御部５０４は、操作先判定部５０３から定期的に操作先情報を取得する。そして、画像入力回路２０４，２０５の発光設定の組み合わせに対応する補正値データを表示設定管理部５０２から取得する。その後、取得した操作先情報と補正値データに基づいて発光領域を決定するための発光領域決定要求をバックライト制御部５０５に出力する。
さらに、表示制御部５０４は、ＵＩ部５０１から受信した画質調整パラメータ設定画面を画像処理回路２０６に出力し、液晶デバイス２０７で表示するよう要求する。
【００２５】
バックライト制御部５０５は、表示制御部５０４からの発光設定要求に基づいてバックライト制御回路２０８を制御する。また、バックライト制御部５０５は、表示制御部５０４から取得した発光領域決定要求に基づいて、発光領域を決定する（発光領域決定処理）。
本実施例では、ユーザが操作しているＰＣが検出された場合に、検出されたＰＣから出力された画像信号に基づく画像の表示領域および該画像とそれに隣接する隣接画像との境界部のバックライトが、同じ発光設定で発光されるように発光領域が決定される。具体的には、そのようなバックライトが、検出されたＰＣに対して設定された発光設定で発光されるように発光領域が決定される。即ち、本実施例では、バックライト制御部５０５とバックライト制御回路２０８により、本発明の制御手段が実現される。
また、本実施例では、検出されたＰＣに対して設定された発光設定と、隣接画像を出力するＰＣに対して設定された発光設定とに応じた境界部の大きさの発光領域が決定される。
発光領域決定処理については後で詳しく説明する。
なお、前述したＵＩ部５０１〜バックライト制御部５０５の処理は、ＣＰＵ２０１において実行される。
【００２６】
図４（Ｂ）は、ＰＣ１０１の機能ブロック図である。なお、ＰＣ１０２の機能ブロック図はＰＣ１０１と同様であるため、記述を省略する。
画像出力制御部６０１は、ＯＳやアプリケーションを実行した際に生成された描画情報（画像信号）を画像出力回路４０６に出力する。
キーボードドライバ部６０２は、ユーザがキーボード１０３を用いて行ったユーザ操作を表す信号をキーボードＩ／Ｆ回路４０４から受信し、ＯＳやアプリケーションを操作する。また、操作検出部６０４にキーボード操作情報（ユーザがキーボードを操作中か否かを表す情報）を出力する。
マウスドライバ部６０３は、ユーザがマウス１０４を用いて行ったユーザ操作を表す信号をマウスＩ／Ｆ回路４０５から受信し、ＯＳやアプリケーションを操作する。また、操作検出部６０４にマウス操作情報（ユーザがマウスを操作中か否かを表す情報）を出力する。
操作検出部６０４は、キーボードドライバ部６０２からキーボード操作情報を、マウスドライバ部６０３からマウス操作情報を取得する。そして、ユーザがキーボードまたはマウスを操作中であった場合、自身（ＰＣ）を操作中であると判定し、画像出力回路４０６に、ユーザ操作情報を通知する。
なお、前述した画像出力制御部６０１〜操作検出部６０４の処理は、ＣＰＵ４０１において実行される。
【００２７】
図５は、ユーザ操作情報に基づいた操作先判定部５０３の判定処理のフローチャートである。
操作先判定部５０３は、画像入力回路２０４からユーザ操作情報を受信した場合に（Ｓ０７０１のＹＥＳ）、「ＰＣ１０１を操作中」と判定する（Ｓ０７０２）。また、操作先判定部５０３は、画像入力回路２０４からユーザ操作情報を受信せず（Ｓ０７０１のＮＯ）、映像入力回路２０５からユーザ操作情報を受信した場合（Ｓ０７０３のＹＥＳ）には、「ＰＣ１０２を操作中」と判定する（Ｓ０７０４）。そして、操作先判定部５０３は、画像入力回路２０４，２０５の両方からユーザ操作情報を受信しなかった場合には（Ｓ０７０３のＮＯ）、「未操作」（ユーザ操作は行われていない）と判定する（Ｓ０７０５）。
【００２８】
本フローチャートの処理により、例えば、ユーザがＰＣ１０１に接続したキーボード１０３またはマウス１０４を操作すると、判定結果は「画像入力回路２０４側のＰＣを使用中」となる。一方、ユーザがＰＣ１０２に接続したキーボード１０５またはマウス１０６を操作すると、判定結果は「画像入力回路２０５側のＰＣを使用中」となる。
【００２９】
図６は、表示制御部５０４の発光領域決定要求を出力するまでの処理の流れを示すフローチャートである。表示制御部５０４は２画面表示中、一定の間隔で本フローチャートの処理を行う。なお、表示制御部５０４は、２画面表示を開始した時点で、操作先情報を「未操作」に初期化する。
【００３０】
まず、表示制御部５０４は、表示設定管理部５０２から画像入力回路２０４，２０５の画質調整パラメータを取得する（Ｓ０８０１）。
次に、取得した２つの画質調整パラメータを比較し（Ｓ０８０２）、画像入力回路２０４と画像入力回路２０５とで発光設定（輝度と色温度）が異なっているかを判断する（Ｓ０８０３）。
【００３１】
画像入力回路２０４と画像入力回路２０５とで輝度または色温度が異なっている場合（Ｓ０８０３のＹＥＳ）、表示設定管理部５０２が有する発光設定（輝度及び色温度）の組み合わせと補正値データとの対応表から、補正値データを取得する（Ｓ０８０４）。具体的には、画像入力回路２０４，２０５の発光設定の組み合わせに対応する補正値データが
取得される。
次に、操作先判定部５０３から操作先情報を取得し（Ｓ０８０５）、取得した操作先情報が、「未操作」以外の情報であるか否かを判定する。取得した操作先情報が「未操作」以外の情報である場合（Ｓ０８０６のＹＥＳ）、発光領域決定要求を出力する（Ｓ０８０７）。
【００３２】
一方、画像入力回路２０４と画像入力回路２０５とで輝度及び色温度が一致している場合（Ｓ０８０３のＮＯ）には、その後の処理を行わずに本フローを終了する。また、取得した操作先情報が「未操作」の場合（Ｓ０８０６のＮＯ）にも、その後の処理を行わずに本フローを終了する。
【００３３】
表２は、発光設定の組み合わせと補正値データの対応を表す対応表である。補正値データは、発光領域を、対応する画像入力回路に入力された画像信号に基づく画像の表示領域よりもどの程度大きくするかを表すデータである。具体的には、補正値データは、画像入力回路毎（表２では「入力」と記載している）に、その画像入力回路に入力された画像の色再現性の低下を抑制するのに必要な境界部の大きさを表したデータである。
【表２】
0005814534.tif 000003
【００３４】
例えば、画像入力回路２０４側の輝度が１５０ｃｄ／ｍ２、色温度が７２００Ｋ、画像入力回路２０５側の輝度が２５０ｃｄ／ｍ２、色温度が９４００Ｋに設定されていたとする。この場合、表２の例では、画像入力回路２０４に対する補正値データは、“２”、画像入力回路２０５に対する補正値データは、“１”となる。
そのため、バックライト制御部５０５では、以下のように発光領域決定処理が行われる。
【００３５】
画像入力回路２０４に入力された画像信号に基づく画像の色再現性の低下を抑制する場合には、取得した補正値データのうち画像入力回路２０４に対する補正値データが用いられる。そして、画像入力回路２０４に入力された画像信号に基づく画像の表示領域Ａ内のＬＥＤ３０１と該表示領域の外側２つ分のＬＥＤ３０１を含む領域が、画像入力回路２０４の発光設定で発光させる発光領域とされる。なお、本実施例では、画像入力回路２０４，２０５に入力された２つの画像が画面水平方向に並べて表示される。そのため、表示領域Ａ内のＬＥＤ３０１と、表示領域Ａから２列分、画像入力回路２０５に入力された画像信号に基づく画像の表示領域Ｂ内のＬＥＤ３０１とを含む領域が、画像入力回路２０４の発光設定で発光させる発光領域とされる。
画像入力回路２０５に入力された画像の色再現性の低下を抑制する場合には、取得した補正値データのうち画像入力回路２０５に対する補正値データが用いられる。そして、表示領域Ｂ内のＬＥＤ３０１と、表示領域Ｂから１列分、表示領域Ａ内のＬＥＤ３０１とを含む領域が、画像入力回路２０５の発光設定で発光させる発光領域とされる。
【００３６】
なお、表２のデータは、予め用意されている。例えば、製造時に測定を行い、生成した
ものが不揮発性メモリ２０３に記録されている。
また、発光領域決定要求が出力されていない場合には、表示領域Ａ，Ｂが、それぞれ、画像入力回路２０４，２０５の発光設定で発光させる発光領域とされる。
【００３７】
図７（Ａ）〜７（Ｃ）は、画像入力回路２０４側の輝度が１５０ｃｄ／ｍ２、色温度が７２００Ｋ、画像入力回路２０５側の輝度が２５０ｃｄ／ｍ２、色温度が９４００Ｋに設定されていた場合の、ＬＥＤ３０１の発光設定を表したものである。図中黒で表したＬＥＤ３０１はＰＣ１０１の発光設定で発光するＬＥＤ、白で表したＬＥＤ３０１はＰＣ１０２の発光設定で発光するＬＥＤである。なお、図７（Ａ）〜７（Ｃ）はＬＥＤ３０１が２４列配置されている場合の例である。
【００３８】
図７（Ａ）は未操作の場合を表している。未操作の場合、ＰＣ１０１から出力された画像信号に基づく画像の表示領域に対応する、画面左から１２列分のＬＥＤ３０１がＰＣ１０１の発光設定で発光する。また、ＰＣ１０２から出力された画像信号に基づく画像の表示領域に対応する、画面右から１２列分のＬＥＤ３０１がＰＣ１０２の発光設定で発光する。
図７（Ｂ）はユーザがＰＣ１０１を操作している場合を表している。この場合、ＰＣ１０１から出力された画像信号に基づく画像の表示領域に対応する１２列分と該表示領域から右側に２列分の計１４列分（画面左から１４列分）のＬＥＤ３０１がＰＣ１０１の発光設定で発光する。また、画面右から１０列分のＬＥＤ３０１がＰＣ１０２の発光設定で発光する。
図７（Ｃ）はユーザがＰＣ１０２を操作している場合を表している。この場合、ＰＣ１０２から出力された画像信号に基づく画像の表示領域に対応する１２列分と該表示領域から左側に１列分の計１３列分（画面右から１３列分）のＬＥＤ３０１がＰＣ１０２の発光設定で発光する。また、画面左から１１列分のＬＥＤ３０１がＰＣ１０１の発光設定で発光する。
【００３９】
以上述べたように、本実施例によれば、ユーザの操作しているＰＣから出力された画像信号に基づく画像の表示領域だけでなく、該画像と隣接画像との境界部のバックライトが、ユーザの操作しているＰＣに対して設定された発光設定で発光される。それにより、複数のＰＣからの画像を１つの画面上に並べて表示している場合に、ユーザが操作しているＰＣからの画像の色再現性が隣接画像によって低減することを抑制することができ、ユーザが間違った色調整を行うことを抑制できる。
また、本実施例では、ユーザの操作しているＰＣに対して設定された発光設定と、隣接画像を出力するＰＣに対して設定された発光設定とに応じて境界部の大きさが決定される。そのため、不必要に隣接画像の表示領域のバックライトの発光設定が変更されることを抑制することができる。
【００４０】
なお、本実施例では、画像信号出力装置がＰＣの場合について説明したが、画像信号出力装置は画像信号を出力するものであればよい。例えば、ハードディスクレコーダー、ブルーレイプレーヤー、テレビチューナーなどであってもよい。
なお、本実施例では、発光設定として輝度と色温度を用いた場合について説明したが、これに限らない。例えば、輝度と色温度のいずれか一方のみを用いる構成であってもよい。発光設定はバックライトの駆動条件を示すものであればどのようなものであってもよい。
なお、本実施例では、２つの画像信号出力装置を液晶表示装置に接続する例を示したが、画像入力回路を増やして３つ以上の画像信号出力装置を接続してもよい。また、本実施例では、複数の画像を画面水平方向に並べて表示する例を示したが、画像の並べ方はこれに限らない。例えば、複数の画像を画面垂直方向に並べて表示してもよいし、行列状に並べて表示してもよいし、ピクチャ・イン・ピクチャのように、一方の画像に他方の画像が
重畳されてもよい。
【００４１】
なお、本実施例では、ＰＣ１０１への操作を優先して検出する構成としたが、ＰＣ１０２への操作を優先して検出する構成であってもよいし、ユーザにどちらのＰＣに対する操作を優先して検出するかを設定させる構成であってもよい。
なお、本実施例では、ユーザが液晶表示装置を操作して発光設定（輝度や色温度）を設定する構成としたが、発光設定の設定方法はこれに限らない。ユーザがＰＣを操作して発光設定を設定する構成であってもよいし、ユーザがＰＣを用いてキャリブレーション等を行う際に、自動または手動で輝度や色温度を設定する構成であってもよい。
なお、本実施例では、ＰＣから出力された画像信号とユーザ操作情報を共通のケーブルを用いて液晶表示装置に入力する構成としたが、接続態様はこれに限らない。ユーザ操作情報は、画像信号の伝送に用いるケーブルとは別のケーブル（例えば、ＵＳＢ（Universal Serial Bus）ケーブル）を用いて伝送されてもよい。
【００４２】
＜実施例２＞
以下、本発明の実施例２として、キーボードやマウスを、ＰＣではなく液晶表示装置に接続する例について記述する。なお、実施例１と重複する部分については、記述を省略する。
図８は、本実施例に係る画像表示システムの接続態様の一例を表す図である。
液晶表示装置１１０には、ＰＣ１１１，１１２が、それぞれ、ケーブル１０７，１０８を介して接続されている。また、液晶表示装置１１０とＰＣ１１１，液晶表示装置１１０と１１２は、それぞれ、ＵＳＢケーブル１１０１，１１０２で接続されている。ユーザが液晶表示装置１１０に接続されたキーボード１０３ならびにマウス１０４を用いて行った操作の信号（操作信号）は、ＵＳＢケーブル１１０１，１１０２を介して、ＰＣ１１１，１１２に伝達される。
【００４３】
図９（Ａ）は、液晶表示装置１１０のハードウェアブロック図である。
ＣＰＵ２１１は、図２（Ａ）のＣＰＵ２０１の機能に加え、ユーザが操作ボタン１２０３を用いて行った操作先切替操作に基づいて、キーボード・マウス切替回路１２０４を制御する機能を有する。具体的には、ＣＰＵ２１１は、キーボードＩ／Ｆ回路１２０１及びマウスＩ／Ｆ回路１２０２が受信した操作信号が、ＵＳＢ Ｉ／Ｆ回路１２０５または１
２０６のいずれかに出力されるようにキーボード・マウス切替回路１２０４に指示する。
キーボードＩ／Ｆ回路１２０１は、キーボード１０３から操作信号を受信し、キーボード・マウス切替回路１２０４に出力する。
マウスＩ／Ｆ回路１２０２は、マウス１０４から操作信号を受信し、キーボード・マウス切替回路１２０４に出力する。
【００４４】
操作ボタン１２０３は、図２（Ａ）の操作ボタン２１０の機能に加えて、ユーザからの操作先切替操作を受け付け、操作内容をＣＰＵ２１１に通知する機能を有する。
キーボード・マウス切替回路１２０４は、ＣＰＵ２１１からの指示に基づいて、キーボードＩ／Ｆ回路１２０１やマウスＩ／Ｆ回路１２０２から受信した操作信号を、ＵＳＢ 
Ｉ／Ｆ回路１２０５または１２０６のいずれかへ出力する。加えて、ＵＳＢ Ｉ／Ｆ回路
１２０５または１２０６のどちらに操作信号を出力するか（ＰＣ１０１，１０２のどちらを操作するか）を示す操作先情報を記憶する。
ＵＳＢ Ｉ／Ｆ回路１２０５は、キーボード・マウス切替回路１２０４から受信した操
作信号をＰＣ１１１に出力する。
ＵＳＢ Ｉ／Ｆ回路１２０６は、キーボード・マウス切替回路１２０４から受信した操
作信号をＰＣ１１２に出力する。
【００４５】
図９（Ｂ）は、ＰＣ１１１のハードウェアブロック図である。なお、ＰＣ１１２のハー
ドウェアブロック図はＰＣ１１１と同様であるため、記述を省略する。
ＣＰＵ４１１は、内部バス４０７に接続された各構成ブロックの制御や、蓄積装置４０３に記録されたＯＳやアプリケーションを実行し、画像信号を画像出力回路４０６に出力する。また、ＵＳＢ Ｉ／Ｆ回路１３０１から受信した操作信号に基づいて、動作中のア
プリケーションを制御する。
ＵＳＢ Ｉ／Ｆ回路１３０１は、液晶表示装置１１０から操作信号を受信し、ＣＰＵ４
１１に出力する。
【００４６】
図１０は、液晶表示装置１１０の機能ブロック図である。
ＵＩ部５１１は、図４（Ａ）のＵＩ部５０１の機能に加えて、ユーザが操作ボタン１２０３を用いて行った操作先切替操作に基づいて、キーボード・マウス切替回路１２０４に対して、操作先切替指示を送信する機能を有する。
【００４７】
表示制御部５１４は、表示設定管理部５０２から画像入力回路２０４，２０５それぞれの画質調整パラメータを読み出し、それに基づいて画像処理を行うよう画像処理回路２０６に要求する。その際、表示制御部５１４は、発光設定要求をバックライト制御部５０５に出力する。
また、表示制御部５１４は、ＵＩ部５１１から２画面表示要求を受信すると、画像処理回路２０６に対して画像入力回路２０４，２０５からの画像信号を２画面表示するように要求する。２画面表示中、表示制御部５１４は、キーボード・マウス切替回路１２０４から定期的に操作先情報を取得する。そして、画像入力回路２０４，２０５の発光設定の組み合わせに対応する補正値データを表示設定管理部５０２から取得する。その後、取得した操作先情報と補正値データに基づいて発光領域を決定するための発光領域決定要求をバックライト制御部５０５に出力する。
なお、前述した処理は、ＣＰＵ２１１において実行される。
【００４８】
図１１は、表示制御部５１４の発光領域決定要求を出力するまでの処理の流れを示すフローチャートである。表示制御部５１４は２画面表示中、一定の間隔で本フローチャートの処理を行う。
Ｓ１５０１〜Ｓ１５０４の処理は、図６のＳ０８０１〜Ｓ０８０４の処理と同様のため、説明は省略する。
Ｓ１５０４の次に、表示制御部５１４は、キーボード・マウス切替回路１２０４から操作先情報を取得し（Ｓ１５０５）、実施例１（図６のＳ０８０６，Ｓ０８０７）と同様に、発光領域決定要求を出力する（Ｓ１５０６）。
一方、画像入力回路２０４と画像入力回路２０５とで輝度及び色温度が一致している場合（Ｓ１５０３のＮＯ）には、その後の処理を行わずに本フローを終了する。また、取得した操作先情報が「未操作」の場合にも、発光領域決定要求は出力せずに処理を終了する。
【００４９】
以上述べたように、本実施例によれば、液晶表示装置にキーボードおよびマウスが接続される。そして、ユーザが液晶表示装置を操作することで、キーボードおよびマウスによりどのＰＣを操作するかが選択される。それにより、ＰＣからユーザ操作情報を取得することなく、実施例１と同様の効果を得ることができる。
【００５０】
＜実施例３＞
以下、本発明の実施例３に係る画像表示システムについて記述する。本実施例では、アプリケーション毎に発光設定が設定されている場合の例である。そして、本実施例では、アクティブなアプリケーションの画像の表示領域および該画像とそれに隣接する隣接画像との境界部のバックライトを、アクティブなアプリケーションに対して設定された発光設定で発光させる。なお、実施例１，２と重複する部分については、記述を省略する。
【００５１】
図１２は、本発明の実施例３に係る画像表示システムの接続態様の一例を表す図である。
液晶表示装置１２０には、ＰＣ１２１がケーブル１０７を介して接続されている。
ＰＣ１２１は、ケーブル１０７を介して液晶表示装置１２０に、画像信号、アプリウィンドウ情報、及び、アプリケーション毎（背景も含む）の画質調整パラメータを送信する。アプリウィンドウ情報は、ＰＣ１２１で動作しているアプリケーションの画像（ウィンドウ）の表示領域やアクティブなアプリケーションを示す情報である。
【００５２】
図１３（Ａ）は、液晶表示装置１２０のハードウェアブロック図である。
ＣＰＵ２２１は、不揮発性メモリ２２３から各種制御を行うためのプログラムを読み込み、内部バス２１１に接続された各構成ブロックの制御を行う。
また、ＣＰＵ２２１は、ＰＣ１２１から受信したアプリケーション毎の画質調整パラメータを不揮発性メモリ２２３に記憶する。
また、ＣＰＵ２２１は、画像入力回路２２４から受信したアプリウィンドウ情報と不揮発性メモリ２２３に記録したアプリケーション毎の画質調整パラメータに基づいて、アプリケーション毎の発光領域を決定する。そして、決定した発光領域の情報を発光設定の情報と共にバックライト制御部２０８に出力する。
【００５３】
不揮発性メモリ２２３は、ＣＰＵ２２１が実行するプログラムや、アプリケーション毎の画質調整パラメータを記憶する。また、製造時に予め設定した発光設定の組み合わせ毎の補正値データを記憶する。
画像入力回路２２４は、ＰＣ１２１から受信した画像信号を、画像処理回路２０６に出力する。また、ＰＣ１２１から受信したアプリウィンドウ情報、アプリケーション毎の画質調整パラメータをＣＰＵ２２１に出力する。
【００５４】
図１３（Ｂ）は、ＰＣ１２１のハードウェアブロック図である。
ＣＰＵ４２１は、内部バス４０７に接続された各構成ブロックの制御や、蓄積装置４０３に記録されたＯＳやアプリケーションを実行し、画像信号を画像出力回路４２６に出力する。
また、ＣＰＵ４２１は、キーボードＩ／Ｆ回路４０４やマウスＩ／Ｆ回路４０５からユーザ操作を表す信号を受信し、ユーザ操作に応じて、動作中のアプリケーションを制御する。それとともに、ユーザ操作に基づいて、アプリウィンドウ情報を画像出力回路４２６に出力する。また、ユーザが設定したアプリケーション毎の画質調整パラメータを画像出力回路４２６に出力する。
画像出力回路４２６は、ＣＰＵ４２１から出力される画像信号、アプリウィンドウ情報、アプリケーション毎の画質調整パラメータを液晶表示装置１２０に出力する。
【００５５】
図１４（Ａ）は、液晶表示装置１２１の機能ブロック図である。
表示設定管理部５２２は、不揮発性メモリ２２３に記憶したアプリケーション毎の画質調整パラメータを読み出し、表示制御部５２４に出力する。また、表示設定管理部５２２は、不揮発性メモリ２２３から補正値データを読み出し、表示制御部５２４に出力する。どの補正値データを読み出すかについては後述する。
【００５６】
表示制御部５２４は、画像入力回路２２４から受信したアプリウィンドウ情報、及び、表示設定管理部５２２から取得したアプリケーション毎の画質調整パラメータに基づいて、画像処理を行うよう画像処理回路２０６に要求する。
また、表示制御部５２４は、アプリウィンドウ情報及びアプリケーション毎の画質調整パラメータに基づいて、アプリケーション毎に、そのアプリケーションに対して設定された発光設定でバックライトを発光させるようバックライト制御部５０５に要求する。加え
て、アプリウィンドウ情報、アプリケーション毎の画質調整パラメータ、及び、表示設定管理部５２２から取得した補正値データに基づいて発光領域を決定するための発光領域決定要求をバックライト制御部５０５に出力する。
なお、前述した処理は、ＣＰＵ２２１において実行される。
【００５７】
図１４（Ｂ）は、ＰＣ１２１の機能ブロック図である。
操作検出部６２４は、キーボードドライバ部６０２からキーボード操作情報（どのようなキーボード操作が行われたかを表す情報）を、マウスドライバ部６０３からマウス操作情報（どのようなマウス操作が行われたかを表す情報）を取得する。そして、キーボード操作情報及びマウス操作情報に基づいてアプリウィンドウ情報を生成し、画像出力回路４２６に出力する。
画質調整パラメータ設定部２００１は、ユーザが設定したアプリケーション毎の画質調整パラメータを画像出力回路４２６に出力する。
【００５８】
図１５は、表示制御部５２４の発光領域決定要求を出力するまでの処理の流れを示すフローチャートである。表示制御部５２４は、アプリウィンドウ情報が更新される度に本フローチャートの処理を行う。
まず、表示制御部５２４は、画像入力回路２２４からアプリウィンドウ情報を取得し（Ｓ２１０１）、表示設定管理部５２２からアプリケーション毎の画質調整パラメータを取得する（Ｓ２１０２）。
【００５９】
次に、アプリウィンドウ情報から、アプリケーション毎の表示領域の情報を取得し、各表示領域に対応するＬＥＤ３０１を算出する（Ｓ２１０３）。例えば、画面の表示解像度が３０７２ピクセル×２０４８ピクセルで、ＬＥＤ３０１の配置が図３の通りである場合、各ＬＥＤ３０１は１２８ピクセル×１２８ピクセルの表示領域に対応する。そのため、表示領域が矩形の場合には、その領域の対角位置の座標を１２８で割ることで、対応するＬＥＤ３０１（具体的には、対応するＬＥＤ３０１の行範囲及び列範囲）を算出することができる。
【００６０】
そして、アプリウィンドウ情報とアプリケーション毎の画質調整パラメータに基づいて、アクティブなアプリケーションに対して設定された発光設定を取得する（Ｓ２１０４）。また、アクティブなアプリケーションの画像に隣接して表示されるアプリケーションまたは背景に対して設定された発光設定を取得する（Ｓ２１０５）。
次に、アクティブなアプリケーションの発光設定と、アクティブなアプリケーションの画像に隣接して表示されるアプリケーションまたは背景の発光設定との組み合わせに対応する補正値データを取得する（Ｓ２１０６）。
そして、発光領域決定要求を出力する（Ｓ２１０７）。
【００６１】
表３は、アプリケーション毎の画質調整パラメータの一例を示したものである。
表３は、例えば、アプリケーション「アプリ１」のウィンドウは、輝度１５０ｃｄ／ｍ２、色温度９４００Ｋで表示されることを表している。なお、「デフォルト」は、画質調整を行っていないアプリケーションや背景を表示する際の画質調整パラメータを表している。
【表３】
0005814534.tif 000004
【００６２】
表４は、発光設定の組み合わせと補正値データの対応を表したものである。補正値データは、アクティブなアプリケーションの発光設定で発光させる発光領域を該アプリケーションの画像よりもどの程度大きくするかを表すデータである。具体的には、補正値データは、アクティブなアプリケーションの画像内の色再現性の低下を抑制するのに必要な境界部の大きさを表したデータである。
【表４】
0005814534.tif 000005
【００６３】
例えば、アクティブなアプリケーション（表中、アクティブアプリ）の輝度が１５０ｃｄ／ｍ２、色温度が９４００Ｋに設定されていたとする。また、アクティブなアプリケーションの画像に隣接して表示されるアプリケーションまたは背景（表中、隣接アプリ）の輝度が２５０ｃｄ／ｍ２、色温度が７２００Ｋに設定されていたとする。その場合、補正値データは“１”となる。そして、アクティブなアプリケーションの画像の表示領域内のＬＥＤ３０１と、該表示領域の外側１つ分のＬＥＤ３０１とを含む領域が、アクティブなアプリケーションの発光設定で発光させる発光領域とされる。
また、アクティブなアプリケーションの輝度が１５０ｃｄ／ｍ２、色温度が９４００Ｋ、アクティブなアプリケーションの画像に隣接して表示されるアプリケーションまたは背景の輝度が１５０ｃｄ／ｍ２、色温度が６５００Ｋに設定されていたとする。その場合、補正値データは“２”となり、アクティブなアプリケーションの画像の表示領域内のＬＥＤ３０１と、該表示領域の外側２つ分のＬＥＤ３０１とを含む領域が、アクティブなアプリケーションの発光設定で発光させる発光領域とされる。
なお、表４のデータは予め用意されている。例えば、製造時に測定を行い、生成したものが不揮発性メモリ２２３に記録されている。
【００６４】
図１６は、液晶表示装置１２０に表示される画像の一例を示す図である。
図１６の例では、液晶表示装置１２０の表示領域２２０１上の座標Ｐ１Ｓ，Ｐ１Ｅで定義される矩形領域２２０２にアプリケーション「アプリ１」の画像（ウィンドウ）が表示されている。また、座標Ｐ２Ｓ，Ｐ２Ｅで定義される矩形領域２２０３にアプリケーション「アプリ２」の画像が表示されている。そして、「アプリ１」がアクティブであるため
、「アプリ２」のウィンドウよりも手前に「アプリ１」の画像が表示されている。
なお、残りの領域には背景が表示されている。
【００６５】
図１７は、図１６に示す画像が表示されている場合の、バックライト（ＬＥＤ）の発光設定を表した図である。バックライトＢ１ａとＢ１ｂを含む破線で示される領域２３０１は、「アプリ１」の発光設定を適用する（画面の）領域を、バックライトＢ２ａとＢ２ｂを含む破線で示される領域２３０２は「アプリ２」の発光設定を適用する領域を表す。具体的には、「アプリ１」の画像の表示領域に対し、「アプリ２」が隣接する部分では外側にバックライト１つ分、背景が隣接する部分では外側にバックライト２つ分拡張された領域が、「アプリ１」の発光設定で発光される。ただし、「アプリ１」の画像の左側はバックライト１つ分しか表示領域が存在しないため、バックライト１つ分だけ拡張される。
【００６６】
以上述べたように、本実施例によれば、アクティブなアプリケーションの画像の表示領域および隣接画像との境界部のバックライトが、アクティブなアプリケーションに対して設定された発光設定で発光される。それにより、アプリケーション毎に発光設定が異なる場合であっても、アクティブな（ユーザが操作している）アプリケーションの画像の色再現性が隣接画像によって低減することを抑制することができ、ユーザが間違った色調整を行うことを抑制できる。
なお、本実施例では、２つの画像（ウィンドウ）を表示する例を示したが、表示するウィンドウの数は３つ以上であってもよい。
また、本実施例では、１つのＰＣを液晶表示装置に接続する場合について説明したが、２つ以上のＰＣを接続してもよい。
【符号の説明】
【００６７】
２０８  バックライト制御回路
５０３  操作先判定部
５０５  バックライト制御部
【図１】
0005814534.tif 000006
【図２】
0005814534.tif 000007
【図３】
0005814534.tif 000008
【図４】
0005814534.tif 000009
【図５】
0005814534.tif 000010
【図６】
0005814534.tif 000011
【図７】
0005814534.tif 000012
【図８】
0005814534.tif 000013
【図９】
0005814534.tif 000014
【図１０】
0005814534.tif 000015
【図１１】
0005814534.tif 000016
【図１２】
0005814534.tif 000017
【図１３】
0005814534.tif 000018
【図１４】
0005814534.tif 000019
【図１５】
0005814534.tif 000020
【図１６】
0005814534.tif 000021
【図１７】
0005814534.tif 000022